(57)【要約】【課題】  自動式組合せ秤と連動可能な複数の周辺装置を選択的に配設する際に、各周辺装置におけるインターロック条件ごとの様々な接続態様の表示やインターロック信号の送信試験を容易且つ確実に行うことができる半自動式組合せ秤を提供する。【解決手段】  表示制御手段３１ａは、半自動式組合せ秤の上流又は下流に配設される、当該半自動式組合せ秤と連動可能な複数の周辺装置を選択するための装置選択画面３２１を設定表示装置８に表示させ、設定表示手段８によって装置選択画面３２１における選択が行われた場合に、複数の周辺装置のうち、装置選択画面３２１で選択された周辺装置及び半自動式組合せ秤から構成されるシステムの配置図を表示する配置画面３２２を設定表示装置８に表示させる。【選択図】  図８
2011002428.tif 000002
【特許請求の範囲】
【請求項１】
被計量物を保持して排出する複数の排出ホッパと、
前記排出ホッパに保持されている被計量物の重量を計量する計量手段と、
表示装置と、
前記表示装置に装置選択画面を表示させる表示制御手段と、
前記装置選択画面における選択を行うための選択手段と、を備える半自動式組合せ秤であって、
前記表示制御手段は、前記半自動式組合せ秤の上流又は下流に配設される、当該半自動式組合せ秤と連動可能な複数の周辺装置を選択するための装置選択画面を前記表示装置に表示させ、前記選択手段によって前記装置選択画面における選択が行われた場合に、前記複数の周辺装置のうち、前記装置選択画面で選択された周辺装置及び前記半自動式組合せ秤から構成されるシステムの配置図を表示する配置画面を前記表示装置に表示させるよう構成されている、半自動式組合せ秤。
【請求項２】
前記配置画面には、前記装置選択画面で選択された周辺装置が模式図により表示されている、請求項１に記載の半自動式組合せ秤。
【請求項３】
前記配置画面は、前記システムの配置図に表示された周辺装置を選択可能に構成されており、
前記表示制御手段は、前記選択手段によって前記配置画面における選択が行われた場合に、前記選択された周辺装置のインターロック条件を前記配置画面に選択可能に一覧表示してなるインターロック条件選択画面を前記表示装置に表示させるよう構成されている、請求項１に記載の半自動式組合せ秤。
【請求項４】
前記表示制御手段は、前記選択手段によって前記インターロック条件選択画面における選択が行われた場合に、前記選択されたインターロック条件に対応する接続箇所を前記配置画面に表示してなる接続箇所表示画面を前記表示装置に表示させるよう構成されている、請求項３に記載の半自動式組合せ秤。
【請求項５】
前記選択された周辺装置にインターロック信号を送信するインターロック信号送信手段をさらに備えている、請求項３に記載の半自動式組合せ秤。
【請求項６】
前記表示制御手段は、前記インターロック信号が送信された際、前記インターロック信号の出力を前記配置画面に表示してなる送信信号表示画面を前記表示装置に表示させるよう構成されている、請求項５に記載の半自動式組合せ秤。
【請求項７】
前記選択された周辺装置からのインターロック信号を受信するインターロック信号受信手段をさらに備え、
前記表示制御手段は、前記インターロック信号受信手段で受信されたインターロック信号入力を前記配置画面に表示してなる受信信号表示画面を前記表示装置に表示させるよう構成されている、請求項３に記載の半自動式組合せ秤。
【発明の詳細な説明】
【技術分野】
【０００１】
本発明は、被計量物の供給を人手で行う半自動式組合せ秤に関する。
【背景技術】
【０００２】
半自動式組合せ秤は、被計量物を保持して排出する複数の排出ホッパと、当該排出ホッパに保持されている被計量物の重量を計量する計量手段とを有している。排出ホッパに被計量物を人為的に投入することで、所定の目標組合せ重量を含む所定範囲内の重量となる排出ホッパの組合せが排出組合せとして選択され、当該選択された排出ホッパから被計量物が排出される。排出された被計量物は、後続する包装機によって包装される。
【０００３】
このような半自動式組合せ秤においては、例えば、排出ホッパの供給口が設けられる天板上に被計量物を供給する供給コンベヤや、計量された被計量物を包装機の供給口へ搬送する２次コンベヤ等の周辺装置を配設することがある。これらの周辺装置は、使用環境等に応じて選択的に配設される。これらの周辺装置は、半自動式組合せ秤又は他の周辺装置に連動して動作可能であり、半自動式組合せ秤に連動させるようにするためには、半自動式組合せ秤又は他の周辺装置と正しく接続し、インターロック条件を設定する必要がある。即ち、半自動式組合せ秤と周辺装置との間又は周辺装置同士間で所望のインターロック条件に応じて適切なインターロック信号が送受信されるように接続し、各周辺装置に対してインターロック条件を設定する必要がある。
【０００４】
このような装置間の適切な接続や設定を迅速且つ確実なものとするために、例えば、特許文献１には、メインの装置単体で他の装置との連動時におけるインターロック信号による動作試験を行い得る構成が開示されている。また、例えば、特許文献２には、複数の装置においてインターロック信号による動作状態をスケルトン画面に集中表示する構成が開示されている。
【先行技術文献】
【特許文献】
【０００５】
【特許文献１】特開平６−９９３３７号公報
【特許文献２】特開平１０−６３３３２号公報
【発明の概要】
【発明が解決しようとする課題】
【０００６】
しかし、特許文献１には、周辺装置を選択的に配設することに関しては記載されておらず、インターロック信号による動作試験を行うにしても、表示器に表示される装置が実際に配設する予定の装置か否かは一見して分からない。また、特許文献２に記載された構成においては、各装置の入切等の状態表示が行われるが、一見すると全ての周辺装置が配設されているように表示されるため、特に、半自動式組合せ秤のように、選択的に配設される周辺装置が仕様によって異なるシステムに適用する場合には、どの周辺装置を実際に配設するのか一見して判別し難いという問題がある。
【０００７】
本発明は、以上のような課題を解決すべくなされたものであり、半自動式組合せ秤と連動可能な複数の周辺装置を選択的に配設する際に、各周辺装置におけるインターロック条件ごとの様々な接続態様の表示やインターロック信号の送信試験を容易且つ確実に行うことができる半自動式組合せ秤を提供することを目的とする。
【課題を解決するための手段】
【０００８】
本発明に係る半自動式組合せ秤は、被計量物を保持して排出する複数の排出ホッパと、前記排出ホッパに保持されている被計量物の重量を計量する計量手段と、表示装置と、前記表示装置に装置選択画面を表示させる表示制御手段と、前記装置選択画面における選択を行うための選択手段と、を備える半自動式組合せ秤であって、前記表示制御手段は、前記半自動式組合せ秤の上流又は下流に配設される、当該半自動式組合せ秤と連動可能な複数の周辺装置を選択するための装置選択画面を前記表示装置に表示させ、前記選択手段によって前記装置選択画面における選択が行われた場合に、前記複数の周辺装置のうち、前記装置選択画面で選択された周辺装置及び前記半自動式組合せ秤から構成されるシステムの配置図を表示する配置画面を前記表示装置に表示させるよう構成されている。
【０００９】
上記構成を有する半自動式組合せ秤によれば、配設可能な周辺装置のうち、実際に配設する周辺装置により構成されるシステムの配置図を表示することができるため、半自動式組合せ秤と周辺装置との位置関係を視覚的に容易に理解することができ、周辺装置の配設作業の効率化を図ることができる。従って、半自動式組合せ秤と連動可能な複数の周辺装置を選択的に配設する際に、各周辺装置におけるインターロック条件ごとの様々な接続態様の表示やインターロック信号の送信試験を容易且つ確実に行うことができる。
【００１０】
前記配置画面には、前記装置選択画面で選択された周辺装置が模式図により表示されていてもよい。これにより、配置画面に表示されるシステムの配置図から実際に配設する周辺装置を含むシステムをより容易に把握することができる。
【００１１】
前記配置画面は、前記システムの配置図に表示された周辺装置を選択可能に構成されており、前記表示制御手段は、前記選択手段によって前記配置画面における選択が行われた場合に、前記選択された周辺装置のインターロック条件を前記配置画面に選択可能に一覧表示してなるインターロック条件選択画面を前記表示装置に表示させるよう構成されてもよい。これにより、周辺装置ごとのインターロック条件が一覧表示されるため、複数の周辺装置を配設する際に、周辺装置ごとの仕様に応じたインターロック条件を容易に確認することができる。
【００１２】
前記表示制御手段は、前記選択手段によって前記インターロック条件選択画面における選択が行われた場合に、前記選択されたインターロック条件に対応する接続箇所を前記配置画面に表示してなる接続箇所表示画面を前記表示装置に表示させるよう構成されてもよい。同じ周辺装置であってもインターロック条件に応じて半自動式組合せ秤との接続態様が異なる場合がある。このような場合であっても、上記構成によれば、インターロック条件に応じた半自動式組合せ秤における周辺装置との接続箇所が表示されるため、半自動式組合せ秤と周辺装置との接続時において、所望のインターロック条件に応じて適切な接続を容易に実現することができる。
【００１３】
前記半自動式組合せ秤は、前記選択された周辺装置にインターロック信号を送信するインターロック信号送信手段をさらに備えていてもよい。これにより、配置画面に表示された周辺装置に対し、実際にインターロック信号の送信を行うことができるため、周辺装置と半自動式組合せ秤との接続後のインターロック信号の送信試験を画面を見ながら容易に行うことができる。
【００１４】
さらに、前記表示制御手段は、前記インターロック信号が送信された際、前記インターロック信号の出力を前記配置画面に表示してなる送信信号表示画面を前記表示装置に表示させるよう構成されてもよい。これにより、半自動式組合せ秤からインターロック信号を送信した際、送信信号表示画面に送信されたインターロック信号の出力が表示されるため、実際に送信されたインターロック信号の情報を容易に得ることができ、インターロック信号の送信試験をより効率的に行うことができる。
【００１５】
また、前記選択された周辺装置からのインターロック信号を受信するインターロック信号受信手段をさらに備え、前記表示制御手段は、前記インターロック信号受信手段で受信されたインターロック信号入力を前記配置画面に表示してなる受信信号表示画面を前記表示装置に表示させるよう構成されてもよい。これにより、半自動式組合せ秤が選択されている周辺装置からのインターロック信号を受信した際、受信信号表示画面には受信したインターロック信号入力が表示されるため、実際に受信したインターロック信号の情報を容易に得ることができ、インターロック信号の受信試験をより効率的に行うことができる。
【００１６】
以下、特許請求の範囲及び明細書の記載に用いられる用語の定義について説明する。
【００１７】
特許請求の範囲及び明細書にいう「排出ホッパ」とは、排出組合せの選択対象となるホッパを意味する。より具体的には、例えば、計量ホッパでもよいし、計量ホッパの下流に配設されたメモリホッパでもよい。
【００１８】
特許請求の範囲及び明細書にいう「計量手段」は、計量ホッパの重量を検出する重量センサと、この重量センサで検出された重量に基づいて計量ホッパに保持されている被計量物の重量を演算する（計量する）記憶手段とを含んだ概念である。
【００１９】
特許請求の範囲及び明細書にいう「周辺装置」は、インターロック信号によって半自動式組合せ秤と連動可能な装置であればよく、例えば、半自動式組合せ秤から排出された被計量物を包装する包装機、半自動式組合せ秤の計量ホッパから排出された被計量物を搬送し且つ被計量物の合計重量が所定の重量範囲内であるかをチェックするチェックコンベヤの搬送方向下流側端部に配設され、チェックコンベヤによって搬送された被計量物を一時的に保持する第１集合ホッパ、半自動式組合せ秤から排出された被計量物を包装機に搬送する２次コンベヤ、２次コンベヤの搬送方向下流側端部に配設され、２次コンベヤによって搬送された被計量物を一時的に保持する第２集合ホッパ、被計量物を半自動式組合せ秤の天板上へ供給する供給コンベヤ等の種々の周辺装置が含まれる。
【００２０】
特許請求の範囲及び明細書にいう「模式図」は、表示画面において半自動式組合せ秤との位置関係が一見して理解可能な程度に表示されている限り特に限定されるものではなく、例えば、周辺装置の形状を模した絵図、周辺装置名が付記されたブロック図等が含まれる。
【００２１】
特許請求の範囲及び明細書にいう「インターロック条件」は、半自動式組合せ秤と周辺装置との関係又は周辺装置同士の関係で、対応する周辺装置が所定の動作を行う又は停止するための半自動式組合せ秤又は周辺装置の条件を意味する。例えば、第１集合ホッパのインターロック条件は、後続の周辺装置が停止している時である。例えば、第２集合ホッパのインターロック条件は、後続する包装機が排出要求信号を出していない時である。例えば、供給コンベヤのインターロック条件は、半自動式組合せ秤において、噛み込み、全排出（排出組合せが存在しない時等）又はリジェクト（チェックコンベヤで検出された重量が所定範囲内じゃない時）が発生した時である。さらに、例えば、包装機についての半自動式組合せ秤のインターロック条件は、包装機からの排出命令信号を半自動式組合せ秤が受信した時である。包装機の仕様に応じても複数のインターロック条件が設けられ得る。
【００２２】
特許請求の範囲及び明細書にいう「インターロック信号」は、インターロック条件が成立した時に半自動式組合せ秤と周辺装置との間又は周辺装置間で送信される信号であり、例えば、包装機からの排出命令信号等が含まれる。
【００２３】
特許請求の範囲及び明細書にいう「選択手段」には、例えば、表示画面に表示された周辺装置をタッチすることによって選択可能なタッチパネル及びマウスやその他の入力インターフェイス等が含まれる。
【発明の効果】
【００２４】
本発明は以上に説明したように構成され、半自動式組合せ秤と連動可能な複数の周辺装置を選択的に配設する際に、各周辺装置におけるインターロック条件ごとの様々な接続態様の表示やインターロック信号の送信試験を容易且つ確実に行うことができるという効果を奏する。
【図面の簡単な説明】
【００２５】
【図１】本発明の一実施形態に係る組合せ秤の概略構成を示す平面図である。
【図２】図１に示す組合せ秤の概略構成を示す正面図である。
【図３】図１に示す組合せ秤の概略構成を示す側面図である。
【図４】図１に示す組合せ秤の制御系統の概略構成を示すブロック図である。
【図５】図１に示す組合せ秤に記憶された周辺装置に関する記憶テーブルを示す図である。
【図６】図１に示す組合せ秤における表示画面の表示制御フローを示すフローチャートである。
【図７】図１に示す組合せ秤における装置選択画面を示す図である。
【図８】図１に示す組合せ秤における配置画面を例示する図である。
【図９】図１に示す組合せ秤における配置画面を例示する図である。
【図１０】図８に示す配置画面に対応するインターロックテスト画面を示す図である。
【図１１】図１０に示すインターロックテスト画面に接続部表示ウィンドウが表示されてなる接続箇所表示画面を示す図である。
【図１２】図１０に示すインターロックテスト画面に送信信号表示ウィンドウが表示されてなる送信信号表示画面を示す図である。
【図１３】図１０に示すインターロックテスト画面に受信信号表示ウィンドウが表示されてなる受信信号表示画面を示す図である。
【発明を実施するための形態】
【００２６】
以下、本発明の実施の形態を、図面を参照しながら説明する。なお、以下では全ての図を通じて同一又は相当する要素には同一の参照符号を付して、その重複する説明を省略する。
【００２７】
まず、本発明の一実施形態に係る組合せ秤の概略構成について説明する。図１から図３は、それぞれ、本発明の一実施形態に係る組合せ秤の概略構成を示す平面図、正面図及び側面図である。
【００２８】
図１から図３に示すように、本実施形態の組合せ秤は、被計量物の供給を人手で行い、排出組合せに選ばれた排出ホッパに保持されている被計量物を自動的に排出する半自動式組合せ秤である。半自動式組合せ秤は、直線状に配置された複数（ここでは９つ）の計量ホッパ１を有している。複数の計量ホッパ１のそれぞれは、被計量物を保持し得る２つの保持部に区画されており、各保持部の下部に、それぞれ、互いに独立して開閉可能に構成されたゲート１１，１２が配設されている。従って、保持部のそれぞれは、上方から供給された被計量物を一時的に保持し、下部に設けられたゲート１１，１２を開放することにより、２つの保持部に保持されている被計量物を下方へ排出することが可能である。即ち、本実施形態における組合せ秤においては、総計１８個の保持部のそれぞれが排出ホッパを構成している。なお、排出ホッパは、排出組合せの選択対象となるホッパである限り、上記の計量ホッパ１に限られず、例えば、計量ホッパ１の下流にメモリホッパを配設した構成においては、当該メモリホッパも排出ホッパを構成する。
【００２９】
複数の計量ホッパ１のそれぞれは、当該計量ホッパ１の重量を検出する重量センサ２によって支持されている。重量センサ２には、例えば、ロードセルが用いられる。重量センサ２は、制御装置３に接続されており、重量センサ２で検出された重量は、制御装置３に送信される。制御装置３は、組合せ秤の本体１３の下部に配設された電装品収納部１５に収納されている。ここで、計量ホッパ１の重量は、既知であるので、制御装置３は、計量ホッパ１の２つの排出ホッパのうちの何れか一方に被計量物が供給された際、重量センサ２によって検出された重量から計量ホッパ１の重量を差し引くことにより当該計量ホッパ１の何れか一方の排出ホッパに保持されている被計量物の重量を計量する。さらに、計量ホッパの１の２つの排出ホッパのうちの何れか他方に被計量物が供給された際、重量センサ２によって検出された重量から計量ホッパ１の重量及び計量ホッパ１の何れか一方の排出ホッパに保持されている被計量物の重量を差し引くことにより当該計量ホッパ１の何れか他方の排出ホッパに保持されている被計量物の重量を計量する。このように、本実施形態における重量センサ２及び制御装置３は、計量手段を構成している。
【００３０】
複数の計量ホッパ１の上流には、図１から図３に示すように、供給ホッパ４が設けられている。本実施形態においては、複数の計量ホッパ１の上方に複数（９つ）の供給ホッパ４がそれぞれ配設されている。供給ホッパ４の下部には、対応する計量ホッパ１の２つの保持部のそれぞれに被計量物をその開閉により供給可能なゲート４１，４２が設けられている。供給ホッパ４は、上方から供給された被計量物を一時的に保持し、下部に設けられた開閉可能なゲート４１，４２の何れか一方を開放することにより、被計量物を下方へ排出する。これにより、被計量物の供給箇所が少なくなるため、人手による被計量物の供給作業を効率的に行うことができる。
【００３１】
本実施形態の組合せ秤には、供給ホッパ４ごとに被計量物が供給されたか否かを検出する複数の被計量物検出センサ２０が設けられている。被計量物検出センサ２０には、例えば、被計量物の重量を検出可能なロードセル等が用いられる。被計量物検出センサ２０は、後述する図４に示すように、制御装置３に接続されている。制御装置３は、被計量物検出センサ２０が検出する重量が所定重量以上であるか否かによって、その対応する供給ホッパ４が被計量物を保持しているか空であるかを検出する。制御装置３は、供給ホッパ４が空である状態を検出している間は当該供給ホッパ４のゲート４１，４２を閉鎖した状態に保持し、供給ホッパ４が被計量物を保持した状態を検出し且つ対応する計量ホッパ１の少なくとも何れか一方の排出ホッパが空いている状態である場合には、当該供給ホッパ４のゲート４１，４２の何れか一方（対応する排出ホッパが空いている方）を開放する制御を行う。これにより、空いている供給ホッパ４に被計量物を投入する際にゲート４１，４２が開放されていたり、閉鎖途中であることを防止することができるため、排出ホッパに被計量物を重複して供給したり、ゲート４１，４２に被計量物が噛み込むことを有効に防止することができる。
【００３２】
本実施形態の組合せ秤は、さらに、図１から図３に示すように、本体１３の上部に天板１４が設けられている。天板１４には、複数（９つ）の供給口１４ａが設けられており、当該供給口１４ａのそれぞれの下方に上述の供給ホッパ４が配設されている。従って、作業者が、天板１４上に供給された被計量物を小分けして各供給口１４ａに投入することにより、各計量ホッパ１に被計量物が供給される。
【００３３】
計量ホッパ１の下方には、計量ホッパ１の各保持部から排出された被計量物を搬送する搬送コンベヤ１６が設けられている。搬送コンベヤ１６は、コンベヤ上に排出されかつ載置された被計量物を計量し、計量ホッパ１から被計量物が適正に排出されたか否かをチェックするチェックコンベヤ（後述）として機能する。搬送コンベヤ１６の両側には、被計量物の落下を防止するガイド１７が設けられている。ガイド１７のさらに外側には、作業者がガイド１７内に誤って触れるのを防止する進入防止用の柵１８が設けられている。
【００３４】
本実施形態において、制御装置３は、さらに、各供給ホッパ４のゲート４１，４２及び各計量ホッパ１のゲート１１，１２の開閉制御を行っている。また、本実施形態の組合せ秤は、種々の操作設定を行い、当該設定を表示可能な設定表示装置８を備えている。設定表示装置８も制御装置３によって制御される。なお、本実施形態においては、タッチパネル式の設定表示装置８を例に説明するが、本発明は後述する各種の表示画面を表示可能な表示装置である限りこれに限られず、例えば、入力装置とは別体で構成される表示装置（通常の液晶表示装置等）を用いてもよい。
【００３５】
ここで、本実施形態の組合せ秤における制御系統についてより詳しく説明する。図４は、図１に示す組合せ秤の制御系統の概略構成を示すブロック図である。
【００３６】
制御装置３は、例えば、各種演算を行う制御部３１及び各種演算の結果を記憶する記憶部３２を有する制御基板３０を備えている。制御装置３は、例えば、マイクロコンピュータを備えており、制御部３１には、例えばこのマイクロコンピュータのＣＰＵが用いられる。記憶部３２には、例えばこのマイクロコンピュータの内部メモリが用いられる。制御部３１と記憶部３２とは相互に接続されている。
【００３７】
本実施形態の組合せ秤は、組合せ秤の上流又は下流に配設され、当該組合せ秤と連動可能な複数の周辺装置と接続するための接続部５を備えている。制御部３１は、接続部５に接続された各周辺装置との間で接続部５を介してインターロック信号を送受信する。接続部５は、例えば、コネクタ等で構成される。
【００３８】
本実施形態の組合せ秤に接続される複数の周辺装置としては、例えば、組合せ秤の上流側に配設された供給コンベヤ５１および物品検出センサ５２、ならびに、組合せ秤の下流側に配設されたチェックコンベヤ５３、第１集合ホッパ５４、２次コンベヤ５５、第２集合ホッパ５６、および包装機５７などが挙げられる。供給コンベヤ５１は、組合せ秤の天板１４上に被計量物を供給するためのコンベヤである。また、物品検出センサ５２は、供給コンベヤ５１により供給される天板１４上の被計量物の量を検出するセンサである。また、チェックコンベヤ５３は、上述した搬送コンベヤ１６であって、当該搬送コンベヤ１６上に排出された被計量物の重量を検出可能なコンベヤである。第１集合ホッパ５４は、搬送コンベヤ１６の搬送方向両端部のうち、包装機側の端部近傍に配置された集合ホッパであり、これにより、搬送コンベヤ１６上に排出された被計量物が一纏まりとして収集された上で下流へと排出される。２次コンベヤ５５は、搬送コンベヤ１６と包装機５７との間において被計量物を搬送するためのコンベヤであり、特に、搬送コンベヤ１６より高い位置に包装機５７の被計量物投入口が設けられた構成において有用である。第２集合ホッパ５６は、包装機５７の被計量物投入口の直前に設けられた集合ホッパであり、これにより、被計量物が一纏まりとして収集された上で包装機５７へ投入される。包装機５７は、計量された被計量物を包装する。
【００３９】
また、記憶部３２には制御プログラムが格納されている。制御部３１は、記憶部３２に格納された制御プログラムを読み出して実行することにより、演算等の処理や制御を行う。また、設定表示装置８は、後述する装置選択画面等に表示される周辺装置を選択する選択手段としても機能する。具体的には、制御部３１は、選択手段として機能する設定表示装置８から信号を受け取り、この信号に基づいて設定表示装置８の表示画面の表示を変更し、インターロック信号を送信する制御を行う。換言すると、制御部３１及び設定表示装置８は、表示制御手段３１ａ、インターロック信号送信手段３１ｂ及びインターロック信号受信手段３１ｃとして機能する。
【００４０】
なお、本実施形態においては１つの制御基板３０で制御装置３を構成しているが、本発明は同様の制御を行い得る限りこれに限られない。即ち、例えば、各種制御に応じて複数の制御基板を設け、その複数の制御基板で制御装置３を構成してもよい。また、この制御装置３を、必ずしも組合せ秤に備える必要はなく、例えば、パソコン等を外部の制御装置３として接続することにより当該外部の制御装置３で制御することとしてもよい。
【００４１】
さらに、記憶部３２には、組合せ秤と接続可能な各周辺装置の情報が記憶されている。図５は、図１に示す組合せ秤に記憶された周辺装置に関する記憶テーブルを示す図である。図５に示すように、記憶部３２には、周辺装置ごとに、組合せ秤に対する位置、インターロック条件、ならびに、インターロック条件に対応する組合せ秤側および周辺装置側のそれぞれについての接続箇所（例えば図５に示すような接続端子番号）が記憶されている。図５において、組合せ秤に対する位置は、組合せ秤を基準とした配設方向として示されているが、各周辺装置の模式図の各表示画面における表示位置とリンクする限りこれに限られず、例えば各表示画面上の座標系に基づいた各周辺装置の位置座標を記憶することとしてもよい。
【００４２】
ここで、各周辺装置のインターロック条件について説明する。インターロック条件は、組合せ秤と周辺装置との関係又は周辺装置同士の関係で、対応する周辺装置が所定の動作を行う又は停止するための組合せ秤又は周辺装置の条件を意味する。例えば、本実施形態の組合せ秤は、ホッパ（計量ホッパ１および供給ホッパ４）の噛み込み、全排出動作又は搬送コンベヤ１６のリジェクト動作が発生したときに、供給コンベヤ５１を停止させることが可能なように構成されている。従って、供給コンベヤ５１についてのインターロック条件は、ホッパの噛み込み、全排出動作および搬送コンベヤ１６のリジェクト動作のうち少なくともいずれか１つを選択的に採用し得る。なお、全排出動作とは、全てのホッパのゲートを開放して全てのホッパ内の被計量物などを排出する処理であって、排出組合せが存在しないとき、ホッパ内の洗浄時または計量ホッパのゼロ調整時に行う処理のことである。また、搬送コンベヤ１６のリジェクト運転とは、チェックコンベヤ５３（搬送コンベヤ１６）における計量値が所定の組合せ重量範囲内でない場合に、搬送コンベヤ１６の搬送方向を逆転させる（包装機とは反対側の方向へ搬送し、計量不良として排出する）運転を意味する。
【００４３】
また、組合せ秤は、組合せ秤および周辺装置における所定の動作が生じた場合に、第１集合ホッパ５４、２次コンベヤ５５および第２集合ホッパ５６の各動作をそれぞれ停止させる連動モードと、組合せ秤の状態に拘わらず独立して動作させる単独モードとを周辺装置ごとに切り換え可能に構成されている。所定の動作としては、例えば、第１集合ホッパ５４については、後続の周辺装置（２次コンベヤ５５や包装機５７等）が停止していることである。また、２次コンベヤ５５および第２集合ホッパ５６については、後続する包装機５７が排出要求信号を出していないことである。さらに、包装機５７については、包装機５７からの排出命令信号を組合せ秤が受信したときである。
【００４４】
以上のように、第１集合ホッパ５４、２次コンベヤ５５および第２集合ホッパ５６についてのインターロック条件は、単独または連動のいずれか一方を選択的に採用し得る。また、組合せ秤は、包装機５７の仕様に応じた複数の停止条件を採用可能に構成されている。本実施形態においては、例えば、包装機５７の製造メーカに共通する通常仕様態様と、各メーカに応じた各社仕様態様とを選択し得る。この場合、包装機５７についての組合せ秤のインターロック条件は、例えば、通常仕様態様、Ａ社仕様態様およびＢ社仕様態様のいずれか１つを選択的に採用し得る。
【００４５】
さらに、組合せ秤は、物品検出センサ５２およびチェックコンベヤ５３を使用するか否かを切り換え可能に構成されている。物品検出センサ５２がＯＮ状態である場合において、物品検出センサ５２が天板１４上の被計量物の量が所定値を超えたことを検出すると、供給コンベヤ５１についてのインターロック条件の選択状態に拘わらず、供給コンベヤ５１に対してインターロック信号が送られる。すなわち、物品検出センサ５２のＯＮ／ＯＦＦ状態に応じて供給コンベヤ５１のインターロック条件が変化する。
【００４６】
記憶部３２には、上述したようなインターロック条件が周辺装置ごとに複数記憶されている。さらに、記憶部３２には、組合せ秤に接続可能な複数の周辺装置を選択するための装置選択画面３２１と、複数の周辺装置の模式図を選択的に表示可能な配置画面３２２と、選択された周辺装置のインターロック条件を選択可能に一覧表示するインターロック条件選択画面３２３と、選択されたインターロック条件に対応する接続箇所を表示する接続箇所表示画面３２４と、送信されたインターロック信号の出力を表示する送信信号表示画面３２５と、受信されたインターロック信号入力を表示する受信信号表示画面３２６と、配置画面３２２に各種命令スイッチが選択可能に表示されたインターロックテスト画面３２７と、各表示画面に表示する前記複数の周辺装置の模式図（図４に模式図群３２０として表す）のそれぞれとが記憶されており、記憶手段として機能する。なお、各表示画面は、それぞれ独立して記憶されてもよいし、相互に関連付けられて記憶されてもよい。例えば、後述するインターロックテスト画面３２７に関しては、配置画面３２２と所定の命令実行ボタンとが記憶部３２に記憶されており、インターロックテスト画面３２７を表示する際に、記憶部３２から配置画面３２２及び命令実行ボタンを読み出し、配置画面３２２上に命令実行ボタンを表示させることにより、インターロックテスト画面３２７を表示させることとしてもよい。また、模式図は、各表示画面において半自動式組合せ秤との位置関係が一見して理解可能な程度に表示されている限り特に限定されるものではなく、例えば、周辺装置の形状を模した絵図、周辺装置名が付記されたブロック図等が含まれる。なお、上記模式図群３２０、及び画面３２１〜３２７を記憶部３２に記憶するのではなく、これらを外部から制御部３１に入力するよう構成してもよい。
【００４７】
ここで、本実施形態の組合せ秤における表示画面の表示制御フローについて説明する。図６は、図１に示す組合せ秤における表示画面の表示制御フローを示すフローチャートである。
【００４８】
まず、制御部３１は、表示制御手段３１ａとして機能し、設定表示装置８に、組合せ秤に接続可能な周辺装置を選択可能な装置選択画面３２１を表示させる（ステップＳ１）。図７は、図１に示す組合せ秤における装置選択画面を示す図である。本実施形態においては、図７に示すように、装置選択画面３２１に、組合せ秤に接続可能な全ての周辺装置の模式図が選択手段として機能する設定表示装置８を介して選択可能に表示されている。具体的には、周辺装置の模式図５１１，５２１，…，５７１または対応する周辺装置の名称が表示された名称表示枠５１２，５２２，…，５７２が選択（タッチ選択）可能となっている。なお、装置選択画面３２１は周辺装置が選択可能に構成されている限りこれに限られず、例えば周辺装置名が選択可能に列記された選択表を表示する構成としてもよい。また、選択手段としては、タッチパネルを有する設定表示装置８をタッチすることに限られず、例えば、表示装置の表示画面上に表示されたポインタを操作可能なマウス等の入力機器やその他の入力インターフェイス等が利用可能である。
【００４９】
オペレータは、装置選択画面３２１に表示された周辺装置のうち、実際に配設する一または複数の周辺装置の模式図５１１，５２１，…，５７１または対応する周辺装置の名称表示枠５１２，５２２，…，５７２を設定表示装置８を用いてタッチすることにより選択する。その上で、装置選択画面３２１の選択完了ボタン（図７における保存ボタン）７１をタッチ選択する。これにより、制御部３１は、周辺装置の選択が終了したものと認識する。制御部３１は、周辺装置の選択が終了したか否かを判断し（ステップＳ２）、周辺装置の選択が終了したと判断した場合、選択された一または複数の周辺装置の組合せを記憶部３２に記憶させるとともに、選択された一または複数の周辺装置により構成されるシステムにおける各周辺装置の位置（位置座標など）を記憶部３２から読み出す（ステップＳ３）。そして、制御部３１は、表示制御手段３１ａとして機能し、配置画面３２２の各位置（位置座標）に選択された周辺装置の模式図を読み出した位置に表示させることにより、組合せ秤および選択された周辺装置により構成されるシステムの配置図を設定表示装置８に表示させる（ステップＳ４）。このとき、選択されなかった周辺装置は配置画面３２２には表示されない。
【００５０】
図８および図９は、図１に示す組合せ秤における配置画面を例示する図である。図８は、供給コンベヤ５１、物品検出センサ５２、チェックコンベヤ５３および包装機５７が選択された場合のシステム配置図を示し、図９は、供給コンベヤ５１、物品検出センサ５２、チェックコンベヤ５３、２次コンベヤ５５および包装機５７が選択された場合のシステム配置図を示している。図８および図９に示すように、選択される周辺装置に応じて周辺装置の位置や大きさが変更されて表示されてもよい。このためには、周辺装置ごとに一または複数の位置座標を記憶部３２に記憶させたり、各周辺装置に応じて一または複数の模式図を記憶部３２に記憶させておき、選択された周辺装置から構成されるシステムに応じて周辺装置ごとに対応する位置座標および模式図を読み出すこととすればよい。
【００５１】
上記構成によれば、配設可能な周辺装置のうち、実際に配設する周辺装置により構成されるシステムの配置図を表示することができるため、組合せ秤と周辺装置との位置関係を視覚的に容易に理解することができ、周辺装置の配設作業の効率化を図ることができる。さらに、配置画面３２２においては、選択された周辺装置が模式図により表示されるため、配置画面３２２に表示されるシステムの配置図から実際に配設する周辺装置を含むシステムをより容易に把握することができる。
【００５２】
本実施形態において、組合せ秤は、図４に示すように、設定表示装置８に表示された配置画面を印刷して出力する印刷装置９を備えている。図８に示すように、配置画面３２２には配置画面３２２を印刷するための印字ボタン７９が選択可能に表示されており、この印字ボタン７９をタッチ選択することにより、印刷装置９が配置画面３２２に表示されている内容を印刷する。これにより、実際に周辺装置を配設する際に、組合せ秤を起動させておく必要がないため、組合せ秤と周辺装置との接続を迅速に行うことができる。また、予め周辺装置のシステム配置が分かっている場合に、製品の出荷前に予めシステム配置図を印刷しておくことで、実際の据付時において、再び組合せ秤を起動させることなく、作業の効率化を図ることができる。
【００５３】
図８および図９に示すようなシステム配置図が表示される配置画面３２２は、当該配置画面３２２に模式図が表示された周辺装置を選択可能に構成されている。このようなシステム配置図の表示状態において、制御部３１は、表示制御手段３１ａとして機能し、設定表示装置８によって配置画面３２２における選択が行われた場合に、選択された周辺装置のインターロック条件を配置画面３２２に選択可能に一覧表示してなるインターロック条件選択画面３２３を設定表示装置８に表示させる。具体的には、組合せ秤は、配置画面３２２に表示された周辺装置のいずれかが設定表示装置８によって選択されたか否かを判断する（ステップＳ５）。そして、周辺装置が選択された際、制御部３１は、設定表示装置８に当該選択された周辺装置についてのインターロック条件を選択可能に一覧表示する（ステップＳ６）。本実施形態においては、図８および図９に示すように、各周辺装置の模式図５１１，５２１，…，５７１または対応する名称表示枠５１２，５２２，…，５７２が選択可能に構成されており、各周辺装置の模式図５１１，５２１，…，５７１または名称表示枠５１２，５２２，…，５７２が選択された際に、配置画面３２２上の各名称表示枠５１２，５２２，…，５７２の下方にインターロック条件が一覧表示されるインターロック条件表示ウィンドウ５１３，５２３，…，５７３が表示されることによりインターロック条件選択画面３２３が構成されている。これにより、周辺装置ごとのインターロック条件が一覧表示されるため、複数の周辺装置を配設する際に、周辺装置ごとの仕様に応じたインターロック条件を容易に確認することができる。なお、図８および図９においては、すべての周辺装置についてインターロック条件表示ウィンドウ５１３，５２３，…，５７３が同時に表示された状態を示しているが、これに限られず、例えばインターロック条件表示ウィンドウ５１３，５２３，…，５７３は択一的に表示されることとしてもよい。
【００５４】
配置画面３２２上に周辺装置についてのインターロック条件が一覧表示されたインターロック条件選択画面３２３が表示されている際、制御部３１は、当該インターロック条件のいずれかかが設定表示装置８により選択されたか否かを判断する（ステップＳ７）。具体的には、インターロック条件表示ウィンドウ５１３，５２３，…，５７３に表示された複数のインターロック条件の表示枠のいずれかをタッチ選択することにより、インターロック条件が選択される。選択されたインターロック条件は、例えば対応する表示枠内が反転表示されたり、点滅表示されたりすることにより視覚的に判別可能となっている。
【００５５】
その後、制御部３１は、インターロック条件のいずれかが選択された状態で（ステップＳ７でＹｅｓ）、インターロックテストや対応する接続部表示を行うためのインターロックテスト画面３２７を表示するか否かを判断する（ステップＳ７）。具体的には、インターロック条件のいずれかが選択された状態で、インターロックテスト画面３２７に選択可能に表示されているインターロックテストボタン７２をタッチ選択することにより、インターロックテスト画面３２７が表示される（ステップＳ８）。図１０は、図８に示す配置画面に対応するインターロックテスト画面を示す図である。インターロックテスト画面３２７には、図８において表示されていた周辺装置の模式図５１１，５２１，…，５７１および対応する名称表示枠５１２，５２２，…，５７２が表示されるとともに、各種の命令を実行するための命令実行ボタンが選択可能に表示されている。すなわち、インターロックテスト画面３２７は、配置画面３２２に命令実行ボタンが選択可能に表示されて構成されている。具体的には、命令実行ボタンは、選択したインターロック条件に対応する接続部の表示を行うための接続部表示ボタン７３、インターロック信号を周辺装置へ送信するインターロック信号発信ボタン７４および周辺装置から受信されるインターロック信号入力を表示するインターロック信号受信波形表示ボタン７５を含んでいる。
【００５６】
制御部３１は、インターロックテスト画面３２７において、選択したインターロック条件に対応する接続部の表示命令があるか否か（ステップＳ９）、インターロック信号の送信命令があるか否か（ステップＳ１１）、又は受信したインターロック信号入力の表示命令があるか否か（ステップＳ１４）を判断する。
【００５７】
制御部３１は、図１０に示すインターロックテスト画面３２７において、周辺装置の模式図５１１，５２１，…，５７１または対応する名称表示枠５１２，５２２，…，５７２のいずれかが選択された上で、接続部表示ボタンがタッチ選択されることにより、接続部の表示命令を受けた場合（ステップＳ９でＹｅｓ）、表示制御手段３１ａとして機能し、選択されたインターロック条件に対応する接続箇所を配置画面３２２（インターロックテスト画面３２７）に表示してなる接続箇所表示画面３２４を前記表示装置に表示させる（ステップＳ１０）。具体的には、例えば図１０のインターロックテスト画面３２７上にインターロック条件に対応する接続箇所として接続端子番号が模式的に表示される接続部表示ウィンドウが表示される。図１１は、図１０に示すインターロックテスト画面に接続部表示ウィンドウが表示された接続箇所表示画面を示す図である。図１１には、周辺装置として包装機（の名称表示枠５７２）が選択された場合において、図１０のインターロックテスト画面３２７上に、当該包装機との接続箇所を示す接続部表示ウィンドウ７６がポップアップ表示された接続箇所表示画面３２４が示されている。
【００５８】
同じ周辺装置であってもインターロック条件に応じて組合せ秤との接続態様が異なる場合がある。このような場合であっても、上記構成によれば、インターロック条件に応じた組合せ秤における周辺装置との接続箇所が表示されるため、組合せ秤と周辺装置との接続時において、所望のインターロック条件に応じて適切な接続を容易に実現することができる。
【００５９】
また、実際に、組合せ秤および周辺装置が接続されている際には、インターロックテスト画面３２７上で組合せ秤と周辺装置との間のインターロック信号の送受信テストを行うことができる。図１０に示すインターロックテスト画面３２７において、周辺装置の模式図５１１，５２１，…，５７１または対応する名称表示枠５１２，５２２，…，５７２のいずれかが選択された上で、インターロック信号発信ボタン７４がタッチ選択されることにより、インターロック信号の送信命令を受けた場合（ステップＳ１１でＹｅｓ）、制御部３１は、インターロック信号送信手段３１ｂとして機能し、選択された周辺装置に、対応するインターロック信号を送信する（ステップＳ１２）。これにより、周辺装置の模式図が表示されたインターロックテスト画面３２７上で実際にインターロック信号の送信を行うことができるため、周辺装置と組合せ秤との接続後のインターロック信号の送信試験をインターロックテスト画面３２７を見ながら容易に行うことができる。なお、インターロック信号は、インターロック条件が成立した時に組合せ秤と周辺装置との間又は周辺装置間で送信される信号であり、例えば、包装機５７から組合せ秤へ送信される排出命令信号や組合せ秤から包装機５７へ送信される排出完了信号等が含まれる。
【００６０】
さらに、インターロック信号が送信された際、制御部３１は表示制御手段３１ａとして機能し、インターロック信号の出力を配置画面３２２（インターロックテスト画面３２７）に表示してなる送信信号表示画面３２５を設定表示装置８に表示させる（ステップＳ１３）。具体的には、図１０に示すインターロックテスト画面３２７上に送信するインターロック信号の出力を表示する送信信号表示ウィンドウを表示する。図１２は、図１０に示すインターロックテスト画面に送信信号表示ウィンドウが表示されてなる送信信号表示画面を示す図である。図１２には、周辺装置として包装機（の名称表示枠５７２）が選択された場合において、図１０のインターロックテスト画面３２７上に、組合せ秤から包装機へのインターロック信号である排出完了信号の情報が表示される送信信号表示ウィンドウ７７がポップアップ表示された送信信号表示画面３２５が示されている。これにより、半自動式組合せ秤からインターロック信号を送信した際、送信されたインターロック信号の出力が設定表示装置８に表示されるため、実際に送信されたインターロック信号の情報を容易に得ることができ、インターロック信号の送信試験をより効率的に行うことができる。送信信号表示ウィンドウ７７に表示されるインターロック信号の出力情報としては、例えば、インターロック信号の信号波形、信号名、信号の長さ（パルス幅）等が例示できる。
【００６１】
また、図１０に示すインターロックテスト画面において、周辺装置の模式図５１１，５２１，…，５７１または対応する名称表示枠５１２，５２２，…，５７２のいずれかが選択された上で、インターロック信号受信波形表示ボタン７５がタッチ選択されることにより、制御部３１は、インターロック信号受信手段３１ｃとして機能し、選択された周辺装置からのインターロック信号が受信可能な状態となる。さらに、受信したインターロック信号入力の表示命令を受けた場合（ステップＳ１４でＹｅｓ）、制御部３１は、表示制御手段３１ａとして機能し、対応する周辺装置からのインターロック信号入力を配置画面３２２（インターロックテスト画面３２７）に表示してなる受信信号表示画面３２６を設定表示装置８に表示させる（ステップＳ１５）。具体的には、図１０に示すインターロックテスト画面３２７上に受信したインターロック信号入力を表示する受信信号表示ウィンドウを表示する。図１３は、図１０に示すインターロックテスト画面に受信信号表示ウィンドウが表示されてなる受信信号表示画面を示す図である。図１３には、周辺装置として包装機（の名称表示枠５７２）が選択された場合において、図１０のインターロックテスト画面３２７上に、包装機から組合せ秤へのインターロック信号である排出命令信号の情報が表示される受信信号表示ウィンドウ７８がポップアップ表示された受信信号表示画面３２６が示されている。これにより、組合せ秤が選択されている周辺装置からのインターロック信号を受信した際、受信信号表示画面３２６には受信したインターロック信号入力が表示されるため、実際に受信したインターロック信号の情報を容易に得ることができ、インターロック信号の受信試験をより効率的に行うことができる。
【００６２】
なお、上述した接続部表示ウィンドウ７６、送信信号表示ウィンドウ７７および受信信号表示ウィンドウ７８についても適宜印刷装置９により印刷出力可能に構成してもよい。
【００６３】
以上、本発明の実施の形態について説明したが、本発明は上記実施形態に限定されるものではなく、その趣旨を逸脱しない範囲内で種々の改良、変更、修正が可能である。
【産業上の利用可能性】
【００６４】
本発明の半自動式組合せ秤は、半自動式組合せ秤と連動可能な複数の周辺装置を選択的に配設する際に、各周辺装置におけるインターロック条件ごとの様々な接続態様やインターロック信号の送信試験を行い得る半自動式組合せ秤に有用である。
【符号の説明】
【００６５】
１        計量ホッパ（排出ホッパ）
２        重量センサ
３        制御装置
４        供給ホッパ
５        接続部
８        設定表示装置（表示装置、選択手段）
９        印刷装置
１１，１２        計量ホッパのゲート
１３        本体
１４        天板
１４ａ      供給口
１５        電装品収納部
１６        搬送コンベヤ
１７        ガイド
１８        柵
２０        被計量物検出センサ
３０        制御基板
３１        制御部
３１ａ        表示制御手段
３１ｂ        インターロック信号送信手段
３１ｃ        インターロック信号受信手段
３２        記憶部
４１，４２          供給ホッパのゲート
５１        供給コンベヤ
５２        物品検出センサ５２
５３        チェックコンベヤ
５４        第１集合ホッパ
５５        ２次コンベヤ
５６        第２集合ホッパ
５７        包装機
７１        保存ボタン（選択完了ボタン）
７２        インターロックテストボタン
７３        接続部表示ボタン
７４        インターロック信号発信ボタン
７５        インタロック信号受信波形表示ボタン
７６        接続部表示ウィンドウ
７７        送信信号表示ウィンドウ
７８        受信信号表示ウィンドウ
７９        印字ボタン
３２０        模式図群
３２１        装置選択画面
３２２        配置画面
３２３        インターロック条件選択画面
３２４        接続箇所表示画面
３２５        送信信号表示画面
３２６        受信信号表示画面
３２７        インターロックテスト画面
５１１，５２１，…，５７１        周辺装置の模式図
５１２，５２２，…，５７２        周辺装置の名称表示枠
５１３，５２３，…，５７３        インターロック条件表示ウィンドウ
【図１】
2011002428.tif 000003
【図２】
2011002428.tif 000004
【図３】
2011002428.tif 000005
【図４】
2011002428.tif 000006
【図５】
2011002428.tif 000007
【図６】
2011002428.tif 000008
【図７】
2011002428.tif 000009
【図８】
2011002428.tif 000010
【図９】
2011002428.tif 000011
【図１０】
2011002428.tif 000012
【図１１】
2011002428.tif 000013
【図１２】
2011002428.tif 000014
【図１３】
2011002428.tif 000015